(57)【要約】【課題】外観が良好であり、施工性も良い複合パネル体を提供する。【解決手段】互いに対向する長手方向の内側面に各々摺動ガイド１４が形成された長方形の枠体１２と、枠体１２の裏側に取り付けられ建築物に固定される背面板１６，２０とを有する。摺動ガイド１４に沿って摺動自在に取り付けられ、枠体１２の表側に取り付けられた複数種類のプレート２４，３０，４６，６２を備え、各プレートはその摺動方向の両側側縁部に、摺動ガイド１４に摺動可能に取り付けられるとともに、弾発的に係止される突起部３３が形成されている。【選択図】　　　図１
2004144924.tif 000002
【特許請求の範囲】
【請求項１】
互いに対向する長手方向の内側面に各々摺動ガイドが形成された長方形の枠体と、上記枠体の裏側に取り付けられ建築物に固定される背面板と、上記枠体の上記摺動ガイドに沿って摺動自在に取り付けられ上記枠体の表側に取り付けられた複数種類のプレートと、上記各プレートの摺動方向の両側側縁部に形成され上記摺動ガイドに摺動可能に取り付けられ弾発的に係止される摺動係止手段とが設けられていることを特徴とする複合パネル体。
【請求項２】
上記摺動係止手段は、上記プレートの両側側縁部に形成された突起部であり、上記プレートを上記枠体の表側から裏側に向けて押し込んで係止可能な形状に形成されていることを特徴とする請求項１記載の複合パネル体。
【請求項３】
上記枠体内に取り付けられる上記プレートは、上記枠体を建築物に取りつけた状態で上方から、照明装置が取りつけられた照明用プレート、名前が表示されているネームプレート、インターホン装置を覆うインターホン用プレートの順で上記枠体に取り付けられていることを特徴とする請求項１記載の複合パネル体。
【請求項４】
上記背面板は上記枠体の上方に取り付けられる第一背面板と、上記枠体の下方に取り付けられる第二背面板に分割され、上記第一背面板及び上記第二背面板は、各々別々のプレートに覆われていることを特徴とする請求項１、２または３記載の複合パネル体。
【発明の詳細な説明】
【０００１】
【発明の属する技術分野】
この発明は、集合住宅等の玄関付近に取り付けられ、照明、表札、インターホン、新聞受け等が一体に設けられた複合パネル体に関する。
【０００２】
【従来の技術】
【特許文献１】特開平１０−２４８７０６号公報
従来、集合住宅等の玄関ドア付近に設けられる複合パネル体であるインターホンパネルは、長方形の枠体が設けられ、枠体の内側に化粧板が取り付けられている。化粧板には、照明装置や、ネ―ムプレート、新聞受け等の各種エレメントが取り付けられている。また、化粧板にはインターホンを取りつける開口部が設けられ、開口部には、インターホンの押しボタンやスピーカに当接する部分を切り欠いた取付板が着脱自在に設けられている。このような複合パネル体は、複数の化粧板にネジ用の透孔が形成され、この透孔にネジが挿通されて建築物に固定されている。
【０００３】
また、エレメントの配置や組み合わせについての変更が比較的容易なものとして、特許文献１に示すパネル統合体がある。このパネル統合体には、表札、インターホンその他のエレメントに対応して形成されたフロントパネルが設けられている。パネル統合体の枠状部材には、縦方向に延びる一対のレールが外側側面に設けられ、枠状部材はブラケットにより所定間隔で互いに平行に支持されている。ブラケットは、玄関の壁面などの被取付面に固着されている。一対のレールには、各エレメントが形成されるフロントパネルが着脱自在に設けられている。このような構造により、フロントパネルの配列や組み合わせの変更に対応しやすく、パネル統合体の組み立てや施工を容易にしている。
【０００４】
【発明が解決しようとする課題】
上記従来の技術の場合、化粧板を建築物に固定しているネジが露出するため外観があまり良くなく、外観を良好にするためには目隠し用の部材が必要であり部品点数と工数が多くなる。また、ネームプレートや、インターホンの取付板等はネジで後付けされため、ネジが露出しこの点からも外観があまり良くない。
【０００５】
また、特許文献１に示すパネル統合体は、フロントパネルがレールを覆うように外側から取り付けられるため、幅及び厚みが増加し、設置スペースをとるという問題がある。さらに、各エレメントが取りつけられたフロントパネルは、施工現場でレールに取り付けられるため、別個に搬送し、現場で各々取り付ける工程が必要であり、作業性があまりよくないものである。
【０００６】
この発明は上記従来の問題点に鑑みてなされたものであり、外観が良好であり、施工性も良い複合パネル体を提供することを目的とする。
【０００７】
【課題を解決するための手段】
この発明は、互いに対向する長手方向の内側面に各々摺動ガイドが形成された長方形の枠体と、上記枠体の裏側に取り付けられ建築物に固定される背面板と、上記枠体の上記摺動ガイドに沿って摺動自在に取り付けられ上記枠体の表側に取り付けられた複数種類のプレートと、上記各プレートの摺動方向の両側側縁部に形成され上記摺動ガイドに摺動可能に取り付けられ弾発的に係止される摺動係止手段とが設けられている複合パネル体である。
【０００８】
上記摺動係止手段は、上記プレートの両側側縁部に形成された突起部であり、上記プレートを上記枠体の表側から裏側に向けて押し込んで係止可能な形状に形成されている。
【０００９】
上記枠体内に取り付けられる上記プレートは、上記枠体を建築物に取りつけた状態で上方から、照明装置が取りつけられた照明用プレート、名前が表示されているネームプレート、インターホン装置を覆うインターホン用プレートの順で上記枠体に取り付けられ、さらに、適宜新聞受け用プレート等を設けることができる。上記背面板は上記枠体の上方に取り付けられる第一背面板と、上記枠体の下方に取り付けられる第二背面板に分割され、上記第一背面板及び上記第二背面板は、各々別々のプレートに覆われている。
【００１０】
この発明の複合パネル体は、枠体に照明用プレートと新聞受け用プレートが予め摺動可能に取り付けられている。そして、第一背面板を建築物に取り付けるとき照明用プレートを下方に摺動させて第一背面板を露出させ、ネジ等で取りつけた後、照明用プレートを戻して第一背面板を覆う。第二背面板を建築物に取り付けるときは、新聞受け用プレートを上方に摺動させて第二背面板を露出させ、ネジ等で取りつけた後、新聞受け用プレートを戻して第二背面板を覆う。また、枠体の、照明用プレートと新聞受け用プレートの間に形成された空間に、枠体の長手方向の両側の二辺に連結される保持部材が取り付けられ、保持部材の下方にはインターホン装置が取り付けられ、保持部材と新聞受け用プレートの間にインターホン用プレートを外側から嵌めこんで取り付ける。保持部材と照明用プレートの間には、ネームプレートを、マグネットなどで保持部材に係止させて取り付ける。これにより、上記照明用プレート、上記ネームプレート、上記インターホン用プレート、上記新聞受けプレートが同一面上に設けられ、一体となり、取り付け用のネジを覆い隠し、すっきりとした外観とすることができる。
【００１１】
【発明の実施の形態】
以下、この発明の実施形態について図面に基づいて説明する。図１〜図６はこの発明の一実施形態を示すものであり、この実施形態の複合パネル体１０は、正面視において長方形の金属製の枠体１２を有し、枠体１２は、枠体１２の長手方向が垂直となって建築物に取り付けられる。枠体１２は、所定厚みを有し、長手方向に対して平行な一対の辺１２ａ、１２ｂの互いに対向する内側面には、枠体１２の厚み方向で建築物側とは反対側に、摺動ガイド１４が形成されている。枠体１２の厚み方向で建築物に取りつけられる裏側には、内側に突出する突出縁部１５が枠体１２の厚み方向に対して直角に設けられている。
【００１２】
枠体１２の内側には、枠体１２を建築物に取り付けた状態で上側に位置する端部に、第一背面板１６が、枠体１２の突出縁部１５にネジなどで固定されている。第一背面板１６の上方の角部付近の２ヶ所には、ネジ穴１８が各々形成されている。枠体１２の内側の、枠体１２を建築物に取りつけた状態で下に位置する端部に、第二背面板２０が、枠体１２の突出縁部１５にネジ１７などで固定されている。第二背面板２０の下方の角部付近の２ヶ所には、ネジ穴２２が各々形成されている。また、枠体１２の突出縁部１５には、第一背面板１６の少し下方に、後述する保持部材３６を取りつける図示しないネジ穴が形成されている。
【００１３】
枠体１２の摺動ガイド１４には、枠体１２の上端部付近に、照明用プレート２４が摺動可能に取り付けられている。照明用プレート２４は、枠体１２の一対の辺１２ａ，１２ｂにわずかを隙間を有して嵌合される幅であり、枠体１２の長手方向に所定長さで形成された化粧板２６が設けられている。化粧板２６は、例えば金属板にアクリル樹脂焼付仕上げが施されたものである。化粧板２６の長手方向の両側縁部は、枠体１２の一対の辺１２ａ，１２ｂに沿って内側に折り曲げられ、一対の辺１２ａ，１２ｂの摺動ガイド１４に対面する位置には、摺動ガイド１４に差し込まれる図示しない摺動係止手段である突起部が、化粧板２６の長手方向に沿って数箇所に形成されている。突起部の形状は、後述する新聞受け用プレート３０の突起部３３と同じ形状であり、図６に基づいて後述する。化粧板２６は、突起部が摺動ガイド１４に差し込まれて当接し、摺動ガイド１４に沿って摺動可能に且つ弾発的に係合される。化粧板２６には、化粧板２６の中央よりも少し上方に照明カバー２８が取りつけられている。照明カバー２８は、半筒状であり中心が枠体１２の長手方向に沿って取り付けられ、照明カバー２８の内側には、図示しないソケットとランプが設けられている。
【００１４】
枠体１２の摺動ガイド１４には、枠体１２の下端部付近に、新聞受け用プレート３０が摺動可能に取りつけられている。新聞受け用プレート３０は、枠体１２の一対の辺１２ａ，１２ｂにわずかに隙間を有して嵌合される幅であり、枠体１２の長手方向に所定長さで形成された化粧板３２が設けられている。化粧板３２の長手方向の長さは、枠体１２の長手方向長さから、照明用プレート２４の長さと後述するインターホン用プレート４６とネームプレート６２の長さを差し引いた長さである。化粧板３２は例えば金属板で作られ、照明用プレート２４の化粧板２６と同じアクリル樹脂焼付仕上げが施されている。新聞受け用プレート３０の長手方向の両側縁部も、照明用プレート２４の化粧板２６と同じように、枠体１２の一対の辺１２ａ，１２ｂに沿って内側に折り曲げられ、一対の辺１２ａ，１２ｂの摺動ガイド１４に対面する位置には、摺動ガイド１４に差し込まれる摺動係止手段である突起部３３が、化粧板３２の長手方向に沿って数箇所に形成されている。突起部３３の、化粧板３２の長手方向に対して直角方向の形状は、突起部３３の第二背面板２０と反対側は、化粧板３２とほぼ平行な当接面３３ａとなり、突起部３３の最大突出部に対して第二背面２０側は、第二背面２０に近づくに従い突出量が減少する傾斜面３３ｂとして形成されている。当接面３３ａは、摺動ガイド１４の内側面１４ａに当接して、係止されている。
【００１５】
新聞受け用プレート３０の化粧板３２の下端部付近には、新聞受け３５を形成する一対のパイプ部材３４が設けられている。パイプ部材３４は、化粧板３２からほぼ直角に側方へ突出する一対の立上部３４ａ，３４ｃと、立上部３４ａの先端同士から延長した中間部３４ｂが設けられ、コの字形に形成されている。一対のパイプ部材３４は、化粧板３２に対面する方向から見ると、枠体１２の長手方向に沿って取り付けられ、上方に位置する一対の立上部３４ａは、化粧板３２の側縁部付近に位置し、下方に位置する一対の立上部３４ｃは、化粧板３２の側縁部より少し内側寄りに位置している。そして中間部３４ｂは、中央部分が互いに近づくように湾曲して略Ｘ字になっている。一対の中間部３４ｂと、二対の立上部３４ａ，３４ｃで囲まれた空間が新聞受け３５となる。
【００１６】
照明用プレート２４を、枠体１２の上端部に位置させた状態で、照明用プレート２４の下方付近に、保持部材３６が取りつけられている。保持部材３６は、枠体１２の一対の突出縁部１５に渡される細長い板体であり、保持部材３６の両端部は、突出縁部１５に当接する取付部３８であり、取付部３８には、突出縁部１５の保持部材３６用透孔に一致する透孔３９が形成されている。一対の取付部３８の内側はコの字形に建築物から離れる方向へ折り曲げられ、外側に位置する面を取付面４０とする。取付面４０の中心の下方寄りには、透孔４２が設けられている。保持部材３６は、透孔３９と突出縁部１５の透孔を一致させたところへネジ４４が差し込まれて取り付けられている。
【００１７】
新聞受け用プレート３０の上方の、図４に示すように、保持部材３６を除いた空間には、インターホン用プレート４６が取り付けられている。インターホン用プレート４６は、枠体１２の一対の辺１２ａ，１２ｂにわずかに隙間を有して嵌合される幅の化粧板４８が設けられている。化粧板４８は、金属板で作られ照明用プレート２４と同じアクリル樹脂焼付仕上げが施されている。化粧板４８の一対の辺１２ａ，１２ｂ側の両側縁部は、枠体１２の一対の辺１２ａ，１２ｂに沿って内側に折り曲げられている。化粧板４８は、枠体１２の内側に収容する図示しないインターホン装置の、スピーカーに対面する場所に細かいスリット５０が設けられ、インターホン装置の押しボタン５１や表示装置に対面する場所に透孔５２等が形成されている。化粧板４８の、枠体１２の長手方向に位置する端部４８ａ，４８ｂには、化粧板４８の裏面に重ねて取り付けられその先端が側方へ突出する板状の係合部材５４，５６が各々設けられている。係合部材５４，５６の中央には、透孔５８が各々形成されている。インターホン用プレート４６の、一方の端部４８ｂの係合部材４６は新聞受け用プレート３０の化粧板３２の内側に差しこまれ、係止される。インターホン用プレート４６の、他方の端部４８ａの係合部材４５は、保持部材３６の取付面４０に重ねあわされて、透孔５８，４２を一致させたところへネジ６０を螺合して固定されている。
【００１８】
照明用プレート２４とインターホン用プレート４６の間には、図５に示すように、係合部材３６が位置し、係合部材３６にネームプレート６２が取りつけられている。ネームプレート６２は、照明用プレート２４とインターホン用プレート４６の間に形成された隙間をわずかな隙間を有して閉鎖する大きさに形成され、金属板で作られ照明用プレート２４の化粧版２６と同じアクリル樹脂焼付仕上げが施され、表面には、名前が印刷されている。また、名前が印刷されたプレートが取り付けられても良い。ネームプレート６２の、枠体１２の一対の辺１２ａ，１２ｂ側の両側縁部は、一対の辺１２ａ，１２ｂの内側に沿って折り曲げられている。ネームプレート６２の裏面には、ネームプレート６２を照明用プレート２４とインターホン用プレート４６の間に取りつけたときに、インターホン用プレート４６の係合部材５４に当接しない位置に、係合部材５４とほぼ同じ厚みの図示しないマグネットシートが設けられている。ネームプレート６２は、マグネットで係合部材３６の取付面４０に係止されている。
【００１９】
このように、枠体１２の内側には、上方から順に照明用プレート２４、ネ―ムプレート６２、インターホン用プレート４６、新聞受け用プレート３０が隙間なく嵌め込まれ、位置決めされている。各プレートは同じアクリル樹脂焼付仕上げが施された化粧板で作られているため、一体感がある。
【００２０】
次に、この実施形態の複合パネル体１０の組立方法について説明する。まず、図２に示すように、枠体１２の内側で、照明用プレート２４を下方に摺動させて第一背面板１６を露出させる。そして新聞受け用プレート３０を上方に摺動させて第二背面板２０を露出させる。この状態で建築物の所定位置に枠体１２を当接させ、第一背面板１６のネジ穴１８と第二背面板２０のネジ穴２２に、ネジ６４を差し込んで建築物に固定する。この後、照明用プレート２４を摺動させて枠体１２の上端部に移動させ、第一背面板１６を覆う。さらに、新聞受け用プレート３０も摺動させて枠体１２の下端部に移動させ、第二背面板２０を覆う。
【００２１】
照明用プレート２４と新聞受け用プレート３０は、枠体１２に弾発的に係止されているため取り付け位置に保持されている。次に、図３に示すように照明用プレート２４の下の所定位置に、保持部材３６を枠体１２の突出縁部１５に、ネジ４４で取り付ける。次に、新聞受け用プレート３０の上方に、図示しないインターホン装置を取りつける。図４に示すように、インターホン装置には、インターホン用プレート４６に設けられている。取付方法は、インターホン用プレート４６の下方の係合部材５６を新聞受け用プレート３０の化粧板３２の内側に差しこみ、上方の係合部材５４を保持部材３６に重ね合わせ、保持部材３６の透孔４２と係合部材５４の透孔５８を一致させたところにネジ６０を差し込んで固定する。次に図５に示すように、インターホン用プレート４６と照明用プレート２４の間に、ネームプレート６２をマグネットシートで取り付ける。また、複合パネル体１０の取付方法は、上記に限定されず、照明用プレートと新聞受け用プレートを、枠体１２が建築物に取りつけられた後に、所定位置に押し付けて、枠体１２と化粧板２６，３２を弾性変形させながら取りつけても良い。
【００２２】
この実施形態の複合パネル体１０によれば、第一背面板１６と第二背面板２０を、照明用プレート２４と新聞受け用プレート３０で覆うため、外側に取付用のネジ見えないため、外観がすっきりとしたものとなる。また、ネジを覆う目隠し部材等が不要となり、部品点数が少なく、取り付け工数も少なくなり便利である。また、複合パネル体１０を製造する工場で、枠体１２に照明用プレート２４と新聞受け用プレート３０が予め取り付けられて出荷されるため、施工現場で組立工程が少ないため、施工性が良好である。
【００２３】
なお、この実施形態の複合パネル体１０は、上記実施の形態に限定されず、例えば図７に示すように、照明装置や新聞受け等のエレメントが取りつけられた各種プレートの化粧板は、枠体１２の長手方向に平行な中心が肉厚で、外側面がわずかに外側に湾曲しても良い。化粧板６８の、枠体１２の長手方向の両側縁部は、枠体１２の一対の辺１２ａ，１２ｂの内側に沿って折り曲げられ、折り曲げられた先端部分は、外側に断面コの字形に折り曲げられて突起７０が形成されている。突起７０は、一対の辺１２ａ，１２ｂの摺動ガイド１４に差し込まれ、摺動可能で弾発的に係合されている。
【００２４】
また、この実施形態の複合パネル体１０は、例えば図８に示すように、照明装置や新聞受け等のエレメントが取りつけられたプレート７２の化粧板７４は、化粧板７４の長手方向の両側縁部が、枠体１２の一対の辺１２ａ，１２ｂの内側に折り曲げられ、折り曲げられた先端部分は、枠体１２の長手方向に対して直角な断面形状が円形である幅広部７６が形成されている。幅広部７６は、一対の辺１２ａ，１２ｂに形成された凹部７８に差し込まれ、摺動可能で弾発的に係合されている。
【００２５】
なお、この実施形態の複合パネル体は、上記実施の形態に限定されるものではなく、照明装置や新聞受け等、各部材の形状は変更可能である。各エレメントが取りつけられたプレートの並び順は、保持部材の位置を変更する等して自由に変更可能である。
【００２６】
【発明の効果】
この発明の複合パネル体は、外側にネジや、ネジを隠す目隠し部材が見えないため、外観がすっきりとしたものとなる。しかも枠体の内側で摺動部の係合が図られ、外観形状が大型化ることがなく、また、複合パネル体を製造する工場で、枠体や照明用プレート等の主要な部品が予め取り付けられて出荷されるため、施工現場で組立工程が少ないため、施工性が良好である。
【図面の簡単な説明】
【図１】この発明の一実施形態の複合パネル体の斜視図である。
【図２】この実施形態の複合パネル体の組立方法の第一工程を示す斜視図である。
【図３】この実施形態の複合パネル体の組立方法の第二工程を示す斜視図である。
【図４】この実施形態の複合パネル体の組立方法の第三工程を示す斜視図である。
【図５】この実施形態の複合パネル体の組立方法の第四工程を示す斜視図である。
【図６】この実施形態の複合パネル体の横断面図である。
【図７】この実施形態の複合パネル体の変形例を示す横断面図である。
【図８】この実施形態の複合パネル体の変形例を示す横断面図である。
【符号の説明】
１０　複合パネル体
１２　枠体
１２ａ，１２ｂ　辺
１４　摺動ガイド
１６　第一背面板
１８，２２　ネジ穴
２０　第二背面板
２４　照明用プレート
２６，３２，４８　化粧板
３３　突起部
２８　照明カバー
３０　新聞受け用プレート
３５　新聞受け
３４　パイプ部材
３６　保持部材
３８　取付部
４０　取付面
４２，５２，５８　透孔
４４，６０，６４　ネジ
４６　インターホン用プレート
５０　スリット
５４，５６　係合部材
６２　ネームプレート
【図１】
2004144924.tif 000003
【図２】
2004144924.tif 000004
【図３】
2004144924.tif 000005
【図４】
2004144924.tif 000006
【図５】
2004144924.tif 000007
【図６】
2004144924.tif 000008
【図７】
2004144924.tif 000009
【図８】
2004144924.tif 000010